(57)【要約】      （修正有）【課題】開封容易なプルタブおよび缶蓋を提供する。【解決手段】簡易に開口できる様にするために、プルタブ２の押掛部８裏面に突起体を設けて、プルタブ後端部の押掛部を押しながら、連動して上方に上がるプルタブ前端部側の指掛部９の隙間に指を掛け、更に上方に引き上げることや、第二にプルタブの両端側に２個の窪み部５，１０を設け、開口片４側の窪み部上に位置するプルタブ後端部の押掛部を押しながら、連動して上方に上がるプルタブ前端部側の指掛部の隙間に指を掛け、更に上方に引き上げることによって、押掛部が窪み部に接し、スコア線７が初期破断され、順次開口片が缶内部に押されて開口する。【選択図】図２
2015160670.tif 000002
【特許請求の範囲】
【請求項１】
蓋体パネル２の上面に、スコア線７に囲まれた舌片状の開口片６を有すると共に、プルタブ２がリベット部３を介してほぼ中央に固着されてなる簡易開口缶蓋において、前記プルタブ２は後端部側の押掛部８側面に突起体１１を設け、該押掛部８の突起体１１を押圧させながらプルタブ前端部側の指掛部９を上方に傾斜させることを特徴とする簡易開口缶蓋。
【請求項２】
前記プルタブは、前端部の指掛部９の先端が上方に山形状に形成されてなることを特徴とする請求項１記載の簡易開口缶蓋。
【請求項３】
蓋体パネル２の上面に、スコア線７に囲まれた舌片状の開口片６を有すると共に、プルタブ２がリベット部３を介してほぼ中央に固着されてなる簡易開口缶蓋において、前記窪み部はプルタブ３の前端部側と後端部側の二箇所に設け、プルタブ後端部側の窪み部５はプルタブ後端部側の押掛部８が開口片側の窪み部５表面に押圧されながらプルタブ前端部側の指掛部９を上方に傾斜させることを特徴とする簡易開口缶蓋。
【発明の詳細な説明】
【技術分野】
【０００１】  本発明は、缶蓋の蓋体パネルがヒンジ部を有してスコア線が形成され、このスコア線に囲まれた舌片状の開口片を押し下げて開口操作を行うプルタブ式の開口缶蓋に関し、プルタブの後端部側の押圧部を親指で下げながら前端部側の指掛け部を人指し指の裏で押し上げながら簡易に舌片状の開口片を開口することが可能な簡易開口缶蓋を提供するものである。
【背景技術】
【０００２】  従来の簡易開口缶蓋は、開口操作を行う薄板状のプルタブを有している。すなわち、蓋体パネルの中央を横断して設けられた凹部のほぼ中央にリベット部を介してプルタブが固着されている。【０００３】  このプルタブには、リベット部に対して互いに反対側に指掛け部と押圧部とが設けられている。蓋体パネルの凹部の押圧側にはスコア線が刻設されるが、このスコア線は開口時にヒンジとなるヒンジ部を残して形成されている。【０００４】  そして、このスコア線に囲まれた部分が、スコア線の破断によって押し下げられる開口片を形成している。一方、指掛け部の近傍下方には、指掛け部に指を掛け易くするために窪み部が蓋体パネルの凹部の上面に設けられている。【０００５】  従来の簡易開口缶蓋を開口するには、指掛け部に指を掛けてプルタブを引き起こすと、リベット部が上方へ引っ張られると共に、押圧部が開口片を下方へ押圧するので、リベット部に近接するスコア線が引きちぎられように初期破断され、さらにプルタブを引き上げることによって、リベット部を支点、押圧部を作用点とするてこ作用により、スコア線に沿って破断が進行し、ヒンジ部をヒンジとして開口片が押し下げられて開口するようになっている。
【先行技術文献】
【特許文献】
【０００６】
【特許文献１】  特開２００１−１０６２２８号公報
【発明の開示】
【発明が解決しようとする課題】
【０００７】  従来の簡易開口間蓋においては、指掛け部と蓋体パネルの上面との隙間が狭く、指を掛けにくいという課題を有し、さらに指を掛け易くするために窪み部及び指掛け分の下面を支持するディンブルがもうけられているが強度及び取り扱い上の問題から限界があり、完全は期しがたい。また、薄い板状ノプルタブの下面に指を挿入して引き上げる構造となっているために指を差し込んだ場合に爪を割るという問題があった。【０００８】  また従来のスティオンタブ式の缶蓋は、スコア線の初期破断された部分が空気穴となって缶の内外が錬通され、スコア線の破断が進行される構造であるが、上記の缶蓋は当該気穴となる部分が一箇所なので初期破断後、スコア線が漸次破断されるばあいに比較的大きな力が必要となるものであった。
【課題を解決するための手段】
【０００９】  本発明者は、上記課題を解決し、かつ、さらに簡易に開口できる様にするためプルタブの押掛部８の側面に突起体１１を設けてプルタブ２の高さを調整し、押掛部８を押圧させることによって指掛部９側を上方に傾斜させ、次いで人指し指の内側でプルタブ２を引き上げ易くするものである。【００１０】  本発明の第二は、プルタブ２の両端側に２個の窪み部を設け、開口片側の窪み部５上に位置するプルタブ後端部の押掛部８を押しながら、連動して上方に上がるプルタブ前端部側の指掛部９を上方に傾斜させ、次いで人指し指の内側でプルタブ２を引き上げ易くすると共に、さらに指を上方に引き上げることによって、押掛部８が窪み部５に接しスコア線７が初期破断され、順次開口片が缶内部に押されて開口される。【００１１】  即ち本発明の第一は、蓋体パネル２の上面に、スコア線７に囲まれた舌片状の開口片６を有すると共に、プルタブ２がリベット部３を介してほぼ中央に固着されてなる簡易開口缶蓋において、前記プルタブ２は後端部側の押掛部８側面に突起体１１を設け、該押掛部８の突起体１１を押圧を押圧させながらプルタブ前端部側の指掛部９を上方に傾斜させることを特徴とする簡易開口缶蓋である。【００１２】  本発明の第二は、蓋体パネル２の上面に、スコア線７に囲まれた舌片状の開口片６を有すると共に、プルタブ２がリベット部３を介してほぼ中央に固着されてなる簡易開口缶蓋において、前記窪み部はプルタブ３の前端部側と後端部側の二箇所に設けられ、プルタブ後端部側の窪み部５はプルタブ後端部側の押掛部８が開口片側の窪み部５表面に押圧されながらプルタブ前端部側の指掛部９を上方に傾斜させることを特徴とする簡易開口缶蓋である。【００１３】  本発明によれば、従来は指を入れて引き上げる指掛部と窪み部との間にある隙間が狭く、そのため無理やり指をこじ入れるため爪を痛めるという課題があったが、本発明は、指掛部と窪み部の間の隙間を広くとるため、使用者は指の内側で押さえ上部に引き上げるだけで簡易に開口できるものである。【００１４】  また、プルタブの押掛部を抑える場合に右手親指で抑える場合には、プルタブの指掛け部は左手の人差し指等の指の内側で押さえるだけでよく、更に、手幅の大きい大人の場合は、右手や左手の親指と人指し指を用いて簡易に開口が出来るものである。
【図面の簡単な説明】
【００１５】
【図１】本発明の簡易開口缶蓋の実施例を示す拡大斜視図である。
【図２】本発明の簡易開口缶蓋の実施例を示す平面図である。
【図３】図１における断面を示す断面図である。
【図４】本発明の使用例を説明する説明図である。
【発明を実施するための形態】
【００１６】  本発明の第一実施の形態を実施例に基づき、図面を参照して説明する。
【実施例１】
【００１７】  図１は、本発明の簡易開口缶蓋を示す斜視図である。本発明の簡易開口蓋缶は、蓋体パネル１の上面に、スコア線７に囲まれた舌片状の開口片６を有すると共に、プルタブ２がリベット部３を介してほぼ中央に固着されてなる簡易開口缶蓋であるが、本発明の第一の特徴は、プルタブ２の後端部側の押掛部８側面に突起体１１を設けてあり、この押掛部８の突起体１１を押圧を押圧させながらプルタブ２前端部側の指掛部９を上方に傾斜させることを特徴とする簡易開口缶蓋である。【００１８】  この場合、プルタブの前端部に設けられる指掛部９の先端は、図示しないが上方に山形状に形成されてなることを特徴とするが、此れは図３及び図４に示すようにプルタブ２の押掛部８を下方に押し下げると押掛部８の側面に設けられた突起体１１が押し曲げられて、押掛部８の下端が開口片６の表面に接すると同時に、リベット部３の働きでシーソのように指掛部９が連動して上方に上がり、窪み部９との間に隙間が大きく広がり、使用者は図４のように指先の内側で抑えながら引き上げることが出来るようになる。【００１９】  本実施例において、押掛部８の側面に設けられた突起体１１はプルタブ２の成型時にプルタブの縁部を等しく折り曲げるのでなく、側面に突起部が設けられるように一部をプタブ２の縁を残して成型し、その後に押掛部の下方に折り曲げて開口片６との間のクッションとして作用させる。【００２０】  この突起体の長さは少なくとも１ｍｍ以上、好ましくは５ｍｍ以上くらいの長さがあれば、押掛部を押しながら突起体を潰した場合に指掛部９が上方に上がる構造となっている。【００２１】
【実施例２】
【００２２】  本実施例の特徴は、窪み部として従来のように指掛部側の一箇所のみでなく、図２に示すようにプルタブ２の前端部側と後端部側の二箇所に設けられ、プルタブ後端部側の窪み部５はプルタブ後端部側の押掛部８が開口片６側の窪み部５表面に押圧されながらプルタブ前端部側の指掛部９を上方に傾斜させることを特徴とする簡易開口缶蓋である。【００２３】  この場合、プルタブ２の前端部に設けられる指掛部９の先端は、上方に山形状に形成され琉ことが好ましいが、此れは図４に示すようにプルタブ２の押掛部８を下方に押し下げると指掛部９が連動して上方に上がり、指掛部９下の蓋体パネル表面との間に隙間が大きく広がり、使用者は指先の内側で抑えながら引き上げることが出来るようになる。【００２４】  またプルタブ２の後端部側押掛部８の先端部を山形形状に少なくとも３ｍｍ以上、好ましくは５ｍｍ以上の傾斜を有する事が好ましい、此れによって、押掛部８をスコア線７に囲まれた舌片状の開口片４表面に押し下げることによって、リベット部５を支点にしてプルタブ３の前端部側の指掛部３ｂが上方へ傾斜する構造となっている。
【産業上の利用可能性】
【００２５】  本発明の第一の簡易開口缶蓋は、従来開口時に狭い指掛部３ｂに無理やり指を押し込んで開口していたものを、反対側にある押掛部８の下方の突起体１１をその下部に設けた開口片４に接するまで押掛ることによって、リベット部３を支点として作用させながら反対に位置する指掛部３ｂの先端部を上方に上げる構造となっている。【００２６】  本発明の第二の簡易開口缶蓋は、従来開口時に狭い指掛部９に無理やり指を押し込んで開口していたものを、反対側に設けられている押掛部８をその下部に設けた窪み部５に接するまで押掛ることによって、リベット部３を支点として作用させながら反対に位置する指掛部９の先端部を上方に上げる構造となっている。【００２７】  本発明の第二実施例において窪み部５及び窪み部１０の窪み部分は蓋体パネルの２の平面から、窪み部８は２ｍｍ、窪み部９は４ｍｍ下げる状態としたが、此れは隙間をどの程度設けるかによって当然に変わるものである。【００２８】  本発明で重要なことは、従来のようにリベット部３でプルタブ２を固定しすぎないことであり、プルタブ２がシーソーのようにリベット部を支点として働くように設定する必要がある。【００２９】  本発明で重要なことは、プルタブ２の後端部側押掛部８を山形形状に少なくとも３ｍｍ以上、好ましくは５ｍｍ以上の傾斜を有する事が好ましい。
【符号の説明】
【００３０】１・・・蓋体パネル
２・・・プルタブ
３・・・リベット部
４・・・開口片
５・・・窪み部
６・・・ヒンジ部
７・・・スコア線
８・・・押掛部
９・・・指掛部
１０・・窪み部
１１・・突起部
【図１】
2015160670.tif 000003
【図２】
2015160670.tif 000004
【図３】
2015160670.tif 000005
【図４】
2015160670.tif 000006